(57)【要約】【課題】磁力により接着しているワイヤロープから、検出部を含む磁気探傷装置を簡単に取外すことができる磁気探傷装置の固定具の提供。【解決手段】ワイヤロープ３を巻上げる巻上機２４の周囲にある梁１０から立設され、磁気探傷装置６をワイヤロープ３と正対する位置へ保持する固定板１２ａと、この固定板１２ａと梁１０とを狭持する狭持位置と、狭持しない非狭持位置とに回動可能に設けられ、狭持位置で固定板１２ａを梁１０へ挟圧固定する回動固定部１２ｂと、この回動固定部１２ｂに回動可能に支持され、その端部１２ｃ１が、回動固定部１２ｂが非狭持位置にある状態で梁１０に当接するよう傾倒され、固定板１２ａを介して磁気探傷装置６を反ワイヤロープ側へ変位させるクランク棒１２ｃとを備えた構成にしてある。【選択図】図２
2008120552.tif 000002
【特許請求の範囲】
【請求項１】
エレベータ用ワイヤロープの損傷部分を検出する磁気探傷装置を構造体に固定する磁気探傷装置の固定具において、
前記ワイヤロープを巻上げる巻上機の周囲にある構造体から立設され、前記磁気探傷装置を前記ワイヤロープと正対する位置へ保持する固定板と、
この固定板と前記構造体とを狭持する狭持位置と、狭持しない非狭持位置とに回動可能に設けられ、前記狭持位置で前記固定板を前記構造体へ挟圧固定する回動固定部と、
この回動固定部に回動可能に支持され、その端部が、前記回動固定部が非狭持位置にある状態で前記構造体に当接するよう傾倒され、前記固定板を介して前記磁気探傷装置を反ワイヤロープ側へ変位させるクランク棒とを含むことを特徴とする磁気探傷装置の固定具。
【請求項２】
請求項１に記載の発明において、
前記クランク棒は、前記端部から３０ｍｍ〜１５０ｍｍの位置に回動支点を有することを特徴とする磁気探傷装置の固定具。
【請求項３】
請求項１または２に記載の発明において、
前記クランク棒の前記端部に、摩擦係数の高い樹脂製キャップを設けたことを特徴とする磁気探傷装置の固定具。
【発明の詳細な説明】
【技術分野】
【０００１】
本発明は、エレベータの乗りかごを吊るワイヤロープの保守管理に用いる磁気探傷装置を構造体に固定する磁気探傷装置の固定具に関するものである。
【背景技術】
【０００２】
この種の磁気探傷装置の固定具としては、例えば、特許文献１に示される従来技術がある。この従来技術では、図７に示すように、エレベータに備えられる巻上機２４のシーブ４とプーリ５との間の傾斜部にワイヤロープ３の検出部９を含む磁気探傷装置を固定し、取付け、取外しが可能な取付台１６と、この取り付け台１６上に検出部９を含む磁気探傷装置を回動させることが可能な回動支点１５を有する傾斜台１４とを、シーブ４とプーリ５の間の機械室７の床に設けている。これら取付台１６と、回動支点１５を有する傾斜台１４とにより、シーブ４とプーリ５の位置に応じて、検出部９を含む磁気探傷装置を配置する高さを調整できるようになっている。
【特許文献１】特開昭５４−１０７０３７号公報
【発明の開示】
【発明が解決しようとする課題】
【０００３】
前述した従来技術では、磁気探傷装置の取付けは簡単だが、取外しに際しては、作業員による手作業により、磁力で強力に接着しているワイヤロープ３から、検出部９を含む磁気探傷装置を引き剥がしていたため、取外し作業が煩雑になり、この取外し作業の能率が低下するとともに、作業時の安全性の確保が難しかった。
【０００４】
本発明は、このような従来技術の実状を考慮してなされたもので、その目的は、磁力により接着しているワイヤロープから、検出部を含む磁気探傷装置を簡単に取外すことができる磁気探傷装置の固定具を提供することにある。
【課題を解決するための手段】
【０００５】
この目的を達成するために、本発明では、エレベータ用ワイヤロープの損傷部分を検出する磁気探傷装置を構造体に固定する磁気探傷装置の固定具において、前記ワイヤロープを巻上げる巻上機の周囲にある構造体から立設され、前記磁気探傷装置を前記ワイヤロープと正対する位置へ保持する固定板と、この固定板と前記構造体とを狭持する狭持位置と、狭持しない非狭持位置とに回動可能に設けられ、前記狭持位置で前記固定板を前記構造体へ挟圧固定する回動固定部と、この回動固定部に回動可能に支持され、その一端が、前記回動固定部が非狭持位置にある状態で前記構造体に当接するよう傾倒され、前記固定板を介して前記磁気探傷装置を反ワイヤロープ側へ変位させるクランク棒とを含むことを特徴としている。
【０００６】
このように構成した本発明では、ワイヤロープに磁気探傷装置の検出部を正対させるには、探傷装置が保持されている固定板を、探傷装置がワイヤロープと正対する位置となるように構造体上に位置させる。次に、固定板に取付けられた回動固定部を構造体と固定板を狭持する狭持位置となるようにクランク棒を介して回動させることが行われる。これによって、構造体と固定板とを挟圧固定することができる。この状態において、磁気探傷装置の検出部によるワイヤロープの損傷の有無の検出が可能となる。
【０００７】
また、ワイヤロープから磁気探傷装置を外す際には、磁気探傷装置の検出部がワイヤロープに接着している状態から、回動固定部を非狭持位置となるようにクランク棒を介して回動させ、この状態においてクランク棒の端部を構造体に当接するように傾倒させる。これによりてこの原理で、固定板の動きを介してこの固定板に保持された磁気探傷装置を反ワイヤロープ側に変位させることができる。このように、磁力により接着しているワイヤロープから、検出部を含む磁気探傷装置をクランク棒を介して簡単に取外すことができる。
【０００８】
また、本発明は前記発明において、前記クランク棒は、前記端部から３０ｍｍ〜１５０ｍｍの位置に回動支点を有することを特徴としている。
【０００９】
また、本発明は前記発明において、前記クランク棒の前記端部に、摩擦係数の高い樹脂製キャップを設けたことを特徴としている。
【００１０】
このように構成した本発明では、前述したワイヤロープから磁気探傷装置を外す際に、クランク棒の端部と構造体に当接する部分の滑りを防止することができる。
【発明の効果】
【００１１】
本発明は、磁気探傷装置の検出部がワイヤロープに接着している状態から、この磁気探傷装置をワイヤロープから取外すには、回動固定部を非狭持位置となるよう回動させ、クランク棒の端部を構造体に当接するように傾倒する。これにより、てこの原理でクランク棒を支持する固定板を動かし、この固定板に保持された磁気探傷装置を反ワイヤロープ側に変位させることができる。したがって、磁力により接着しているワイヤロープから、検出部を含む磁気探傷装置を簡単に取外すことができ、作業員によるこの取外し作業の能率を従来よりも向上させるとともに、作業時の安全性を確保することができる。
【発明を実施するための最良の形態】
【００１２】
以下、本発明に係る磁気探傷装置の固定具を実施するための最良の形態を図に基づいて説明する。
【００１３】
図１は、本発明に係る磁気探傷装置の固定具の一実施形態を適用して、磁気探傷装置と固定具を蝶ボルトにより構造体である梁に固定した状態を示す要部斜視図、図２は、図１のＡ方向から見た図である。図３は、磁気探傷装置の取付け、取外し時の状態を示す要部斜視図、図４は、図３のＢ方向から見た拡大図、図５は、磁気探傷装置の取り外しに際して実施されるクランク棒の動作を示す図である。
【００１４】
［本実施形態の構成］
まず、本実施形態の構成を主に図１、図２により説明する。本実施形態に係る磁気探傷装置の固定具は、前述したように、例えば図７に示すエレベータの巻上機２４のシーブ４上に複数本が配置され、乗りかご１と釣合い重り２を連結するワイヤロープ３の損傷部分を検出する検出部を含む磁気探傷装置６を、巻上機２４を機械室７などの床面に固定する構造体、例えば梁１０に固定するものである。
【００１５】
本実施形態は、特に、磁気探傷装置６をワイヤロープ３の損傷部分を検出可能な位置で梁１０に固定するものであり、磁気探傷装置６の検出部がワイヤロープ３に当接するように、この磁気探傷装置６を保持するとともに、検出後に磁力により接着しているワイヤロープ３から、磁気探傷装置６を取外す際に活用される固定具１２と、この固定具１２に磁気探傷装置６を固定する固定ハンドル１９とを備えている。
【００１６】
前述の固定具１２は、梁１０から立設され、磁気探傷装置６をワイヤロープ３の正面に向き合う位置、すなわち正対する位置へ保持する固定板１２ａと、この固定板１２ａに形成されたピン穴１０ａに挿入された第２回動軸ピン２１を介して水平面内に回動可能に連結され、固定板１２ａと梁１０を狭持する狭持位置と、固定板１２ａと梁１０を狭持しない非狭持位置とに回動可能な回動固定部１２ｂと、この回動固定部１２ｂに第１回動軸ピン２０を介して鉛直面内に回動可能に支持され、回動固定部１２ｂが非狭持位置にある状態で梁１０に当接するよう傾倒され、磁気探傷装置６を反ワイヤロープ側に変位させるクランク棒１２ｃとを備えている。
【００１７】
さらに、固定具１２の回動固定部１２ｂには、固定板１２ａと梁１０を狭持する際に用いられる締結具、例えば蝶ボルト２３が螺合するねじ穴２５が備えられている。なお、回動固定部１２ｂには、クランク棒１２ｃを支持し、前述の第２回動軸ピン２１を保持する軸受け８が設けられている。
【００１８】
また、図４に示すように、クランク棒１２ｃの回動支点を形成する前述の第１回動軸ピン２０は、梁１０及び固定板１２ａとの寸法関係を考慮し、クランク棒１２ｃの端部１２ｃ１が梁１０の上面に確実に当接するように、その端部１２ｃ１から、例えば３０ｍｍ〜１５０ｍｍの位置に設けられている。
【００１９】
［本実施形態を用いて行われる磁気探傷装置のワイヤロープに対する着脱］
次に、本実施形態に係る固定具によって磁気探傷装置をワイヤロープに正対させる動作について、主に図１〜図３により説明する。例えば、初めに作業者は、図３に示すように、磁気探傷装置６の両脇に固定具１２の固定板１２ａを配置し、固定ハンドル１９によって磁気探傷装置６にこれらの固定板１２ａを固定する。次に、固定板１２ａの梁１０の上面に当接する面を、磁気探傷装置６がワイヤロープ３の損傷部分を検出可能な位置となるように配置する。
【００２０】
次に、作業者は、回動固定部１２ｂを固定板１２ａと梁１０を狭持する狭持位置に配置するために、例えば、クランク棒１２ｃを把持して、この回動固定部１２ｂを回動軸ピン２１を中心にして９０°水平面内に回動させ、図１に示す状態とする。この状態において、蝶ボルト２３を回し、固定板１２ａと梁１０を締結する。これにより、磁気探傷装置６がワイヤロープ３の損傷部分を検出可能な位置に装着される。
【００２１】
このようにワイヤロープ３に磁気探傷装置６が装着されている状態において、巻上機２４を駆動させ、シーブ４を回転させ、ワイヤロープ３を移動させることが行われる。これにより、ワイヤロープ３の損傷部分の検出が実施される。この時、ワイヤロープ３は、磁気探傷装置６に設けられワイヤロープ３の損傷部分の検出に用いられる励磁器（図示省略）により磁化される。したがって、ワイヤロープ３は、磁気探傷装置６に強く接着した状態となる。
【００２２】
ワイヤロープ３の損傷部分の検出が終了した後、ワイヤロープ３に磁気探傷装置６が接着している状態から、磁気探傷装置６を取外すには、まず、蝶ボルト２３を緩めることが行われる。そして、クランク棒１２ｃを把持して、図３に示す状態まで回動固定部１２ｂを９０°水平面内に回動させる。これにより、回動固定部１２ｂが固定板１２ａと梁１０を狭持しない非狭持位置に移動する。この状態において、図５に示すように、クランク棒１２ｃの端部１２ｃ１と反対側の端部を持ち上げることが行われ、クランク棒１２ｃの端部１２ｃ１が梁１０の上面に当接するようにクランク棒１２ｃに力が加えられる。これにより、クランク棒１２ｃの回動支点を形成する第１回動軸ピン２０を介して、てこの原理により固定板１２ａの一方が浮き上がり、この動きを介して、固定板１２ａに保持された磁気探傷装置６がワイヤロープ３から離れる方向に変位する。つまり、ワイヤロープ３に接着している磁気探傷装置６を取外すことができる。
【００２３】
［本実施形態の効果］
このように構成した本発明によれば、クランク棒１２ｃを介して行われるてこの原理により、前述したように磁気探傷装置６を反ワイヤロープ側に変位させることができ、これにより、磁力により接着しているワイヤロープ３から、検出部を含む磁気探傷装置６を簡単に取外すことができ、これにより、作業員による取外し作業の能率を向上させるとともに、作業時の安全性を確保することができる。
【００２４】
［他の実施形態の構成］
この他の実施形態では、特に、クランク棒１２ｃの端部１２ｃ１に摩擦係数の高い樹脂製キャップ２２、例えばウレタン性のキャップを設けている。その他の構成は、前述した図１〜５に示した実施形態と同様である。
【００２５】
［他の実施形態の効果］
このように構成した他の実施形態によれば、前述した実施形態と同様の作用効果が得られるとともに、クランク棒１２ｃの端部１２ｃ１に摩擦係数の高い樹脂製キャップ２２を設けたことから、前述したワイヤロープ３から磁気探傷装置６を外す際に、クランク棒１２ｃの端部１２ｃ１が、梁１０に当接する部分上で滑ってしまうことを防止することができ、確実に磁気探傷装置６の取外し作業の能率をさらに向上させることができる。
【図面の簡単な説明】
【００２６】
【図１】本発明に係る磁気探傷装置の固定具の一実施形態を適用して、磁気探傷装置と固定具を蝶ボルトにより構造体である梁に固定した状態を示す要部斜視図である。
【図２】図１のＡ方向から見た図である。
【図３】磁気探傷装置の取付け、取外し時の状態を示す要部斜視図である。
【図４】図３のＢ方向から見た拡大図である。
【図５】磁気探傷装置の取り外しに際して実施されるクランク棒の動作を示す図である。
【図６】本発明の他の実施形態の要部を示す図である。
【図７】エレベータに用いられている従来の磁気探傷装置の固定具を示す図である。
【符号の説明】
【００２７】
３    ワイヤロープ
６    磁気探傷装置
１０  梁（構造体）
１２  固定具
１２ａ  固定板
１２ｂ  回動固定部
１２ｃ  クランク棒
１５  回動支点
１９  固定ハンドル
２０  第１回動軸ピン
２１  第２回動軸ピン
２２  樹脂製キャップ
２３  蝶ボルト
２４  巻上機
【図１】
2008120552.tif 000003
【図２】
2008120552.tif 000004
【図３】
2008120552.tif 000005
【図４】
2008120552.tif 000006
【図５】
2008120552.tif 000007
【図６】
2008120552.tif 000008
【図７】
2008120552.tif 000009